【手続補正書】
【提出日】平成16年4月23日(2004.4.23)
【手続補正１】
【補正対象書類名】明細書
【補正対象項目名】特許請求の範囲
【補正方法】変更
【補正の内容】
【特許請求の範囲】
【請求項１】
コンテンツデータを処理する情報処理装置において、
前記コンテンツデータの処理を行う処理手段と、
前記処理手段を制御するための第１の情報を収集する収集手段と、
前記収集手段により収集された前記第１の情報に対して重み付けをした値を用いて、第２の情報を生成する生成手段と
を備え、
前記処理手段は、前記生成手段により生成された前記第２の情報を基に、前記コンテンツデータを処理する
ことを特徴とする情報処理装置。
【請求項２】
ユーザからの入力を受ける入力手段を更に備え、
前記収集手段は、前記第１の情報として、前記入力手段により入力された、前記ユーザによる調整値を収集し、
前記入力手段により、前記ユーザから自動調整が指令された場合、前記処理手段は、前記生成手段により生成された前記第２の情報を基に、前記コンテンツデータを処理し、
前記入力手段により、前記ユーザから自動調整が指令されない場合、前記処理手段は、更に、前記入力手段により、前記ユーザから前記調整値が入力されたとき、前記収集手段により収集された前記第１の情報を基に前記コンテンツデータを処理する
ことを特徴とする請求項１に記載の情報処理装置。
【請求項３】
前記コンテンツデータの特徴を検出する特徴検出手段を更に備え、
前記生成手段は、前記特徴検出手段により検出された前記コンテンツデータの特徴毎に前記第２の情報を生成し、
前記処理手段は、前記特徴検出手段により検出された前記コンテンツデータの特徴に合致する前記第２の情報を用いて、前記コンテンツデータを処理する
ことを特徴とする請求項１に記載の情報処理装置。
【請求項４】
前記特徴検出手段は、前記コンテンツデータの特徴として、前記画像のレベル方向の分散値を検出する
ことを特徴とする請求項３に記載の情報処理装置。
【請求項５】
前記特徴検出手段は、前記コンテンツデータの特徴として、前記画像の平均レベルを検出する
ことを特徴とする請求項３に記載の情報処理装置。
【請求項６】
周囲の環境情報を検出する環境情報検出手段を更に備え、
前記生成手段は、前記環境情報検出手段により検出された前記環境情報毎に前記第２の情報を生成し、
前記処理手段は、前記環境情報検出手段により検出された前記環境情報に合致する前記第２の情報を用いて、前記コンテンツデータを処理する
ことを特徴とする請求項１に記載の情報処理装置。
【請求項７】
前記環境情報検出手段は、前記環境情報として、周囲の温度を検出する
ことを特徴とする請求項６に記載の情報処理装置。
【請求項８】
前記環境情報検出手段は、前記環境情報として、周囲の湿度を検出する
ことを特徴とする請求項６に記載の情報処理装置。
【請求項９】
前記環境情報検出手段は、前記環境情報として、周囲の照明の明るさを検出する
ことを特徴とする請求項６に記載の情報処理装置。
【請求項１０】
前記コンテンツデータに関する情報を抽出する情報抽出手段を更に備え、
前記生成手段は、前記情報抽出手段により抽出された前記情報毎に前記第２の情報を生成し、
前記処理手段は、前記情報抽出手段により抽出された前記情報に合致する前記第２の情報を用いて、前記コンテンツデータを処理する
ことを特徴とする請求項１に記載の情報処理装置。
【請求項１１】
前記生成手段により生成された前記第２の情報を保存する保存手段
を更に備えることを特徴とする請求項１に記載の情報処理装置。
【請求項１２】
前記保存手段は、前記情報処理装置に対して、着脱可能に構成されている
ことを特徴とする請求項１１に記載の情報処理装置。
【請求項１３】
前記生成手段は、前記第１の情報の中央値が最も大きくなるような重み付けをした値を用いて、前記第２の情報を生成する
ことを特徴とする請求項１に記載の情報処理装置。
【請求項１４】
ユーザからの操作入力を受ける入力手段と、
前記入力手段により入力された前記操作入力の状態を検出する操作入力検出手段と
を更に備え、
前記生成手段は、前記操作入力検出手段により検出された前記操作入力の状態に基づいた重み付けで、前記第１の情報から前記第２の情報を生成する
ことを特徴とする請求項１に記載の情報処理装置。
【請求項１５】
前記操作入力検出手段は、前記操作入力にかかった操作時間を測定し、
前記生成手段は、前記操作入力検出手段により検出された前記操作時間が長いほど、大きい重み付けをした値を用いて、前記第２の情報を生成する
ことを特徴とする請求項１４に記載の情報処理装置。
【請求項１６】
コンテンツデータを処理する情報処理装置の情報処理方法において、
前記コンテンツデータの処理を行う処理ステップと、
前記処理ステップの処理を制御するための第１の情報を収集する収集ステップと、
前記収集ステップの処理により収集された前記第１の情報に対して重み付けをした値を用いて、第２の情報を生成する生成ステップと
を含み、
前記処理ステップの処理では、前記生成ステップの処理により生成された前記第２の情報を基に、前記コンテンツデータを処理する
ことを特徴とする情報処理方法。
【請求項１７】
コンテンツデータを処理する情報処理装置用のプログラムであって、
前記コンテンツデータの処理を行う処理ステップと、
前記処理ステップの処理を制御するための第１の情報を収集する収集ステップと、
前記収集ステップの処理により収集された前記第１の情報に対して重み付けをした値を用いて、第２の情報を生成する生成ステップと
を含み、
前記処理ステップの処理では、前記生成ステップの処理により生成された前記第２の情報を基に、前記コンテンツデータを処理する
ことを特徴とするコンピュータが読み取り可能なプログラムが記録されている記録媒体。
【請求項１８】
コンテンツデータを処理する情報処理装置を制御するコンピュータが実行可能なプログラムであって、
前記コンテンツデータの処理を行う処理ステップと、
前記処理ステップの処理を制御するための第１の情報を収集する収集ステップと、
前記収集ステップの処理により収集された前記第１の情報に対して重み付けをした値を用いて、第２の情報を生成する生成ステップと
を含み、
前記処理ステップの処理では、前記生成ステップの処理により生成された前記第２の情報を基に、前記コンテンツデータを処理する
ことを特徴とするプログラム。
【請求項１９】
コンテンツデータを処理する情報処理装置において、
前記コンテンツデータの処理を行う処理手段と、
前記処理手段を制御するための第１の情報および第２の情報を収集する収集手段と、
前記収集手段により収集された前記第１の情報と前記第２の情報との関係を検出する検出手段と、
前記検出手段により検出された前記関係を基に、前記第１の情報および前記第２の情報を変換し、第３の情報および第４の情報を生成する生成手段と
を備え、
前記処理手段は、前記検出手段により検出された前記関係、並びに、前記生成手段により生成された前記第３の情報および前記第４の情報を基に、前記コンテンツデータを処理する
ことを特徴とする情報処理装置。
【請求項２０】
前記検出手段は、線形１次式を用いて、前記第１の情報と前記第２の情報との関係を検出する
ことを特徴とする請求項１９に記載の情報処理装置。
【請求項２１】
前記検出手段は、高次方程式を用いて、前記第１の情報と前記第２の情報との関係を検出する
ことを特徴とする請求項１９に記載の情報処理装置。
【請求項２２】
前記検出手段は、ベクトル量子化テーブルおよびベクトル量子化コードを用いて、前記第１の情報と前記第２の情報との関係を検出する
ことを特徴とする請求項１９に記載の情報処理装置。
【請求項２３】
前記検出手段は、検出された前記第１の情報と前記第２の情報との前記関係に基づく座標軸を演算して、前記第１の情報および前記第２の情報を変換して前記第３の情報および前記第４の情報を生成するための変換テーブルを生成し、
前記生成手段は、前記検出手段により生成された前記変換テーブルを用いて、前記第１の情報および前記第２の情報を変換して前記第３の情報および前記第４の情報を生成する
ことを特徴とする請求項１９に記載の情報処理装置。
【請求項２４】
前記コンテンツデータ以外の他の情報の表示を制御する表示制御手段を更に備え、
前記表示制御手段は、前記検出手段により演算された前記座標軸上における、前記生成手段により生成された前記第３の情報および前記第４の情報の座標表示を制御する
ことを特徴とする請求項２３に記載の情報処理装置。
【請求項２５】
前記検出手段により生成された前記変換テーブルを記憶する記憶手段
を更に備えることを特徴とする請求項２３に記載の情報処理装置。
【請求項２６】
前記生成手段により生成された前記第３の情報および前記第４の情報を記憶する記憶手段
を更に備えることを特徴とする請求項１９に記載の情報処理装置。
【請求項２７】
前記検出手段は、前記記憶手段に、所定の数以上の前記第３の情報および前記第４の情報が記憶された場合、前記第１の情報と前記第２の情報との関係を検出する
ことを特徴とする請求項２６に記載の情報処理装置。
【請求項２８】
前記記憶手段は、前記情報処理装置から着脱可能に構成されている
ことを特徴とする請求項２６に記載の情報処理装置。
【請求項２９】
ユーザからの入力を受ける入力手段を更に備え、
前記検出手段は、前記入力手段より前記座標軸の生成の指令の入力を受けた場合、前記第１の情報と前記第２の情報との関係を検出して前記座標軸を生成する
ことを特徴とする請求項２３に記載の情報処理装置。
【請求項３０】
コンテンツデータを処理する情報処理装置の情報処理方法において、
前記コンテンツデータの処理を行う処理ステップと、
前記処理ステップの処理を制御するための第１の情報および第２の情報を収集する収集ステップと、
前記収集ステップの処理により収集された前記第１の情報と前記第２の情報との関係を検出する検出ステップと、
前記検出ステップの処理により検出された前記関係を基に、前記第１の情報および前記第２の情報を変換し、第３の情報および第４の情報を生成する生成ステップと
を含み、
前記処理ステップの処理では、前記検出ステップの処理により検出された前記関係、並びに、前記生成ステップの処理により生成された前記第３の情報および前記第４の情報を基に、前記コンテンツデータを処理する
ことを特徴とする情報処理方法。
【請求項３１】
コンテンツデータを処理する情報処理装置用のプログラムであって、
前記コンテンツデータの処理を行う処理ステップと、
前記処理ステップの処理を制御するための第１の情報および第２の情報を収集する収集ステップと、
前記収集ステップの処理により収集された前記第１の情報と前記第２の情報との関係を検出する検出ステップと、
前記検出ステップの処理により検出された前記関係を基に、前記第１の情報および前記第２の情報を変換し、第３の情報および第４の情報を生成する生成ステップと
を含み、
前記処理ステップの処理では、前記検出ステップの処理により検出された前記関係、並びに、前記生成ステップの処理により生成された前記第３の情報および前記第４の情報を基に、前記コンテンツデータを処理する
ことを特徴とするコンピュータが読み取り可能なプログラムが記録されている記録媒体。
【請求項３２】
コンテンツデータを処理する情報処理装置を制御するコンピュータが実行可能なプログラムであって、
前記コンテンツデータの処理を行う処理ステップと、
前記処理ステップの処理を制御するための第１の情報および第２の情報を収集する収集ステップと、
前記収集ステップの処理により収集された前記第１の情報と前記第２の情報との関係を検出する検出ステップと、
前記検出ステップの処理により検出された前記関係を基に、前記第１の情報および前記第２の情報を変換し、第３の情報および第４の情報を生成する生成ステップと
を含み、
前記処理ステップの処理では、前記検出ステップの処理により検出された前記関係、並びに、前記生成ステップの処理により生成された前記第３の情報および前記第４の情報を基に、前記コンテンツデータを処理する
ことを特徴とするプログラム。
【手続補正２】
【補正対象書類名】明細書
【補正対象項目名】００２０
【補正方法】変更
【補正の内容】
【００２０】
保存手段は、情報処理装置に対して、着脱可能に構成されているものとすることができる。
生成手段には、第１の情報の中央値が最も大きくなるような重み付けの値を用いて、第２の情報を生成させるようにすることができる。
ユーザからの操作入力を受ける入力手段と、入力手段により入力された操作入力の状態を検出する操作入力検出手段とを更に備えさせるようにすることができ、生成手段には、操作入力検出手段により検出された操作入力の状態に基づいた重み付けで、第１の情報から第２の情報を生成させるようにすることができる。
操作入力検出手段には、操作入力にかかった操作時間を測定させるようにすることができ、生成手段には、操作入力検出手段により検出された前記操作時間が長いほど、大きい重み付けの値を用いて第２の情報を生成させるようにすることができる。